(57)【要約】【課題】装着した際に嵩張りにくく、蒸れや横漏れが生じにくい吸収性物品を提供する。【解決手段】液透過性のトップシート２と、不液透過性のバックシート４と、トップシート２とバックシート４の間に配置された吸収体３を備える吸収性物品１であって、下着の前部から後部の内側に取付けられ、後方側に向かって狭まる略三角形の形状が前後方向に延在する中央部５と、中央部５の左右に設けられ、使用者の大腿部内側に当たる一対の端部６と、を有し、前方側において、中央部５と一対の端部６との接続部Ｌに内側に向かって一対の第１凹部８１を設け、後方側において、中央部５と一対の端部６との接続部Ｌに内側に向かって第２凹部８２を設け、一対の端部６の後部と第２凹部８２とが滑らかにつながっている。【選択図】図１
2015089417.tif 000002
【特許請求の範囲】
【請求項１】
液透過性のトップシートと、
不液透過性のバックシートと、
前記トップシートと前記バックシートの間に配置された吸収体を備える吸収性物品であって、
下着の前部から後部の内側に取付けられ、後方側に向かって狭まる略三角形の形状が前後方向に延在する中央部と、
前記中央部の左右に設けられ、使用者の大腿部内側に当たる一対の端部と、を有し、
前方側において、前記中央部と前記一対の端部との接続部に内側に向かって一対の第１凹部を設け、
後方側において、前記中央部と前記一対の端部との接続部に内側に向かって第２凹部を設け、前記一対の端部の後部と前記第２凹部とが滑らかにつながっていることを特徴とする吸収性物品。
【請求項２】
前記吸収体は、前記中央部と前記一対の端部とで分割されることを特徴とする請求項１に記載の吸収性物品。
【請求項３】
前記バックシートは、中央部領域に接着部を備え、前記接着部が後方側に向かって幅が狭まる形状であることを特徴とする請求項１または２に記載の吸収性物品。
【請求項４】
前記吸収性物品が５ｍｍ以下の厚さであることを特徴とする請求項１ないし３のいずれか１項に記載の吸収性物品。
【請求項５】
前記トップシートと前記吸収体との間に液拡散性シートを備え、
前記液拡散性シートは、厚さが０．１ｍｍ以上であり、坪量が１５ｇ／ｍ２以上８０ｇ／ｍ２以下の親水性不織布であることを特徴とする請求項１ないし４のいずれか１項に記載の吸収性物品。
【請求項６】
さらに、前後方向に折り曲げるための折れ線部を有し、
前記折れ線部は、前記中央部と前記一対の端部との接続部に沿って設けられることを特徴とする請求項１ないし５のいずれか１項に記載の吸収性物品。
【請求項７】
前記一対の端部の前記吸収体は、前記中央部の前記吸収体より薄い厚みを有することを特徴とする請求項１ないし６のいずれか１項に記載の吸収性物品。
【請求項８】
前記吸収性物品は、男性用の吸収性物品である請求項１ないし７のいずれか１項に記載の吸収性物品。
【発明の詳細な説明】
【技術分野】
【０００１】
本発明は、吸収性物品に関する。
【背景技術】
【０００２】
近年、咳やクシャミをしたときや、重い物を持ったときに起こる腹圧性尿失禁や、前立腺肥大症等による尿失禁を引き起こす中高年が増加している。尿失禁の場合、例え少量であっても下着に吸収しきれないことが多く、ボトムスや下着へのシミとなったり、においが漏れたりすることから、その対策として、尿取り体や失禁ガードのような吸収性物品を装着することとなる。
【０００３】
尿失禁用の吸収性物品は、生理用ナプキン等の吸収性物品と同形状、すなわち、略長方形かつ平面状のものが多い（特許文献１参照。）。しかしながら、略長方形状かつ平面状の吸収性物品は、局所へのフィット感が得られにくいため、尿失禁が生じた際に、横漏れが起こりやすい、という問題があった。そこで、男女間における局所の構造上の相違点を踏まえた、吸収性物品も開発されている。
【０００４】
例えば、特許文献２には、前後方向を有し、ペニスを前後方向Ｚから被覆する前面部と後面部とを有し、前後面部側のうちの少なくとも一方側の開口縁部において、ペニス収容部内に延びる弾性反発部材が配置されており、弾性反発部材が配置された開口縁部には、所要の厚さを有する防漏堤が設けられている男性用尿取りパッドの発明が開示されている。
【０００５】
また、特許文献３には、不織布シートを熱成型してなるカップ状の外装体と、液透過性のトップシートと、前記外装体と前記トップシートの間に配置される吸収層とを備えた男性用尿取り体であって、外装体の長手方向中央がその隣接部より狭幅になっていて、かつ該外装体の側縁に着用者の肌と接触する平坦部が設けられている男性用尿取り体の発明が開示されている。
【０００６】
しかしながら、男性用吸収性物品が袋状に成型されている場合、吸収性物品がペニス全体を覆うために嵩張ることで、吸収性物品の装着が目立ってしまい、使用者に対して着用に抵抗感を与えることがあった。
【０００７】
また、男性用吸収性物品がカップ状に成型されている場合も、吸収性物品の装着が目立ってしまい、さらに、使用者が装着した際に、蒸れや横漏れが発生しやすかった。
【先行技術文献】
【特許文献】
【０００８】
【特許文献１】特開２００９−１４８４４１号公報
【特許文献２】特開２０１２−１５２２４８号公報
【特許文献３】特開２０１１−０６２２２５号公報
【発明の概要】
【発明が解決しようとする課題】
【０００９】
そこで、本発明は、かかる点に鑑みてなされたものであり、装着した際に嵩張りにくく、蒸れや横漏れが生じにくい吸収性物品を提供することを目的とする。
【課題を解決するための手段】
【００１０】
（１）本願発明に係る１つの態様は、液透過性のトップシートと、不液透過性のバックシートと、トップシートとバックシートの間に配置された吸収体を備える吸収性物品であって、下着の前部から後部の内側に取付けられ、後方側に向かって狭まる略三角形の形状が前後方向に延在する中央部と、中央部の左右に設けられ、使用者の大腿部内側に当たる一対の端部と、を有し、前方側において、中央部と一対の端部との接続部に内側に向かって一対の第１凹部を設け、後方側において、中央部と一対の端部との接続部に内側に向かって第２凹部を設け、一対の端部の後部と第２凹部とが滑らかにつながっている吸収性物品を提供する。
【００１１】
（２）吸収体は、上記（１）に記載の吸収性物品において、中央部と一対の端部とで分割されてもよい。
【００１２】
（３）バックシートは、上記（１）または（２）に記載の吸収性物品において、中央部領域に接着部を備え、接着部が後方側に向かって幅が狭まる形状であってもよい。
【００１３】
（４）上記（１）ないし（３）のいずれかに記載の吸収性物品において、５ｍｍ以下の厚さであってもよい。
【００１４】
（５）上記（１）ないし（４）のいずれかに記載の吸収性物品において、トップシートと吸収体との間に液拡散性シートを備え、液拡散性シートは、厚さが０．１ｍｍ以上であり、坪量が１５ｇ／ｍ２以上８０ｇ／ｍ２以下の親水性不織布であってもよい。
【００１５】
（６）上記（１）ないし（５）のいずれかに記載の吸収性物品において、さらに、前後方向に折り曲げるための折れ線部を有し、折れ線部は、接続部に沿って設けられてもよい。
【００１６】
（７）上記（１）ないし（６）のいずれかに記載の吸収性物品において、一対の端部の吸収体は、中央部の吸収体より薄い厚みを有してもよい。
【００１７】
（８）上記（１）ないし（６）のいずれかに記載の吸収性物品において、男性用の吸収性物品であってもよい。
【発明の効果】
【００１８】
本発明によれば、装着した際に嵩張りにくく、蒸れや横漏れが生じにくい吸収性物品を提供することができる。
【図面の簡単な説明】
【００１９】
【図１】本発明の実施形態にかかる吸収性物品の外観を示す平面図。
【図２】図１に示す吸収性物品における、Ｘ−Ｘ断面図。
【図３】図１に示す吸収性物品の裏面図。
【図４】他の実施形態にかかる吸収性物品の外観を示す平面図。
【図５】本発明にかかる吸収性物品を男性に装着した場合の正面図。
【図６】吸収性物品を折り曲げた場合の斜視図。
【発明を実施するための形態】
【００２０】
本発明の吸収性物品の好ましい実施の形態（以下、実施形態という）を、以下に詳細に説明する。実施形態の説明の全体を通して同じ要素には同じ番号を付している。また、実施形態において、「前」、「後」、「左」、「右」は、各々、使用者から見た方向を示す。
【００２１】
（吸収性物品１の全体構成）
まず、本発明における吸収性物品１の一実施形態について、図１及び図２に基づいて説明する。
【００２２】
図１に示すように、吸収性物品１は、下着の前部から後部の内側に取付けられ、後方側に向かって狭まる略三角形の形状であって、前後方向に延在する中央部５と、中央部５の左右に設けられ、使用者の大腿部内側に当たる一対の端部６とを有している。吸収性物品１の前方側において、中央部５と一対の端部６との接続部７に内側に向かって一対の第１凹部８１、８１を設け、後方側において、中央部５と一対の端部６との接続部７に内側に向かって第２凹部８２を設け、一対の端部６の後部と第２凹部８２とが滑らかにつながっている構成をとっている。
【００２３】
吸収性物品１の厚さを５ｍｍ以下とすることにより、使用者が装着したときに発生する違和感を減少させることができる。
【００２４】
本発明の吸収性物品１としては、特に制限はないが、例えば、軽失禁パッド、尿吸収パッド、尿吸収ライナー等をあげることができる。
【００２５】
（吸収性物品１の各部構成）
次に、吸収性物品１の各部構成を図１ないし図６に基づいて説明する。
【００２６】
図２に示すように、吸収性物品１は、肌と接触する側から順に、液透過性のトップシート２、液拡散性シート９、液保持性の吸収体３、不液透過性のバックシート４が積層されて配置されている。吸収性物品１は、各要素を積層し、その周囲を一部あるいは全周に渡ってホットメルト系接着剤を用いて固定することにより形成する。ホットメルト系接着剤の種類及び塗布方法は特に限定されないが、ノズルから溶融状態の接着剤を非接触で塗布するカーテンコート法やスパイラル法、また、接触式では、スロット法等の公知の方法が適用できる。
【００２７】
（中央部および一対の端部）
図１に示すように、吸収性物品１は、後方側に向かって狭まる略三角形の形状が前後方向に延在する中央部５と、中央部５の左右に設けられる一対の端部６とを有している。
【００２８】
中央部５は下着の前部から後部の内側に取付けられ、陰部を収容するものである。また、一対の端部６は、使用者の両大腿部の内側に当たるように形成している。
【００２９】
（一対の第１凹部及び第２凹部）
図１に示すように、吸収性物品１の前方側において、一対の第１凹部８１は、中央部５と一対の端部６との接続部Ｌに、内側に向かって設けられている。また、吸収性物品１の後方側において、第２凹部８２は、中央部５と一対の端部６との接続部７に、内側に向かって設けられ、さらに、一対の端部６の後部と第２凹部８２とは、滑らかにつながっている構造となっている。
【００３０】
（折れ線部）
吸収性物品１を前後方向に折り曲げ、陰部を包みむような変形を容易とする観点から、中央部５と一対の端部６との接続部Ｌに沿って、かつ、トップシート２側からバックシート４側に凹む溝状の折れ線部を形成してもよい。折れ線部は、例えば、吸収性物品１の前部から後部にかけて、接続部Ｌを高い圧力で圧縮した１対の圧搾溝により、形成することができる。なお、折れ線部の本数、長さ等は、この例に格別に限定されるものではなく、吸収性物品１に求められる仕様に応じて任意に変更可能である。
【００３１】
（トップシート）
トップシート２の基材は、尿等の液体が吸収体へと移動するような液透過性を備えていればよく、例えば、サーマルボンド不織布等の不織布、サーマルボンド／スパンボンドを積層した複合不織布、開口ポリエチレンフィルム、ポリエチレンフォーム、ウレタンフォーム等の発泡フィルム、あるいは、これらを積層した複合シートといった材料から形成される。液透過性を向上させるために、トップシート２にエンボス加工や穿孔加工を施すことが好ましい。その加工方法は、公知の方法を制限なく行うことができる。また、肌への刺激を低減させるために、トップシート２に、ローション、酸化防止剤、抗炎症成分、ｐＨ調整剤、抗菌剤、保湿剤等を含有させることも好ましい。さらに、強度および加工性の点から、トップシート２の坪量は、１０ｇ／ｍ２以上５０ｇ／ｍ２以下、好ましくは１５ｇ／ｍ２以上３０ｇ／ｍ２以下である。
【００３２】
トップシート２の形状としては、特に制限はないが、尿等の液体を吸収体３に誘導するため、吸収体３を覆う形状であればよい。
【００３３】
（吸収体）
吸収体３の基材は、一般に生理用ナプキンやおむつ、尿パッド等の吸収性物品に使用されるものであれば特に制限はなく、例えば、フラッフパルプ、高吸水性樹脂（Ｓｕｐｅｒ  Ａｂｓｏｒｂｅｎｔ  Ｐｏｌｙｍｅｒ；以下、「ＳＡＰ」と記す。）、親水性シートといった材料から形成される。かかるフラッフパルプとしては、木材パルプ及び合成繊維、ポリマー繊維等の非木材パルプを綿状に解繊したもの、ＳＡＰとしては、ポリアクリル酸ナトリウム、親水性シートとしては、ティシュ、吸収紙、親水性不織布があげられる。
【００３４】
吸収体３は、上記の基材を用いて、単層あるいは複層のシート状で構成される。これらの中でも、木材フラッフパルプのような、フラッフパルプのウェブの親水性繊維マトリックスをＳＡＰ粒子と混合して形成したもの、あるいは、親水性シートにＳＡＰ粒子を塗布したＳＡＰシートが好ましい。フラッフパルプあるいは親水性シートと、ＳＡＰ粒子との吸水力のバランスを得るために、フラッフパルプあるいは親水性シートを１００質量部に対して、ＳＡＰ粒子を５質量部以上６０質量部以下、さらに好ましくは１０質量部以上４０質量部以下で混合する。また、ＳＡＰ粒子の漏洩防止や吸収体３の形状を安定させるために、吸収体３をティシュのような親水性シート（図示せず）に包むことが好ましい。さらに、吸収体３の表面にエンボス加工を施すと、尿等の液体の拡散をコントロールすると共に、使用者の体型に応じて吸収体３が容易に変形するので好ましい。
【００３５】
また、図４に示すように、折り曲げを容易にし、使用者に対するフィット感向上の観点から、吸収体３を中央部５と一対の端部６とで分割し、中央部の吸収体３５、一対の端部の吸収体３６、３６と形成してもよい。
【００３６】
さらに、一対の端部６領域の吸収体３は、中央部５領域の吸収体３より薄い厚みを有してもよい。吸収体３の厚みに差を有するためには、例えば、（１）吸収体３を作製する際に、中央部５領域の基材の積層数あるいは基材量を増加させる、（２）中央部の吸収体３５と一対の端部の吸収体３６、３６で厚みの異なる基材を用いる等があげられる。
【００３７】
（液拡散性シート）
吸収体３の上面への尿等の液体の拡散を促進するために、トップシート２と吸収体３の間に、液拡散性シート９を設けることができる。かかる液拡散性シート９としては、例えば、エアスルー不織布、ポイントボンド不織布、スパンボンド不織布やメルトブロー不織布、あるいは、スパンボンド／メルトブロー、スパンボンド／メルトブローン／スパンボンドを積層した複合不織布があげられる。液拡散性シート９の厚さは、０．１ｍｍ以上が好ましく、その坪量は１５ｇ／ｍ２以上８０ｇ／ｍ２以下が好ましい。厚さが０．１ｍｍ未満、あるいは、坪量が１５ｇ／ｍ２未満であると、吸収体３の上面全体への液体の拡散が十分に行われないので好ましくない。一方、坪量が８０ｇ／ｍ２を超えると、液拡散性シート９への液体移行量が減少し、さらっとした装着感が減少する。また、液拡散性シート９の形状は、特に制限はないが、尿等の液体が、くまなく吸収体３に拡散するように、吸収体３の表面を完全に覆うことができる形状であることが好ましい。
【００３８】
（バックシート）
本実施形態のバックシート４の基材は、吸収体３が保持している尿等の液体が下着に漏れないような液不透過性を備えたものであればよく、不織布、樹脂フィルム、あるいはこれらを積層した複合シートといった材料から形成される。かかる不織布は、製法を特に限定せず、例えば、スパンボンドやメルトブロー不織布、あるいは、スパンボンド／メルトブロー、スパンボンド／メルトブローン／スパンボンドを積層した複合不織布及びこれらの複合材料があげられる。また、かかる樹脂フィルムとしては、例えば、ポリエステル、ポリビニルアルコール、ポリエチレン、ポリプロピレン、ポリエチレンとポリプロピレンの複合フィルム等があげられる。
【００３９】
強度および加工性の点から、バックシート４の坪量は、１５ｇ／ｍ２以上４０ｇ／ｍ２以下であることが好ましい。また、装着時の蒸れを防止するため、バックシート４は透湿性を持たせることが好ましい。透湿性を備えさせるために、例えば、基材の樹脂フィルムにフィラーを配合することや、バックシート４にエンボス加工を施すことがあげられる。フィラーとしては、炭酸カルシウムをあげることができ、その加工方法は、公知の方法を制限なく行うことができる。
【００４０】
（接着部）
バックシート４は、図３に示すように、非肌当接面の中央部５の領域に接着部４１を備えている。接着部４１は、吸収性物品１を下着に貼り付けて装着する際に、ズレ止めの役割を有している。接着部４１を形成する粘着剤は、特に制限なく用いることができるが、例えば、ポリアクリル酸エステル、酢酸ビニル−エチレン共重合体、酢酸ビニル−アクリル共重合体、ポリメチルメタクリレート、ポリスチレン、スチレンーアクリル系共重合体、ポリエステル樹脂、エポキシ樹脂、ブタジエン−スチレン共重合体等のホットメルト系粘着剤があげられる。これらを、１種のみを使用しても、複数をブレンドして使用してもよい。上記の粘着剤をバックシート４に塗布することで、接着部４１を形成することができる。
【００４１】
また、接着部４１の形状としては、略長方形や円形、楕円形等、特に制限なく選択することができる。例えば、図３に示すように、ズレ防止の観点から、中央部５の範囲に収まる後方側に向かって幅が狭まる形状であってもよい。また、吸収性物品１を個包装する場合、接着部４１には、接着部４１を保護する剥離紙を設けることもできる。
【００４２】
（吸収性物品の装着）
吸収性物品１を下着に貼り付けて装着する際には、図６に示すように、接続部Ｌを折り曲げの起点とし、中央部５が凹状の形状となる。このとき、中央部５が吸収性物品１の後方側に向かって狭まる略三角形の形状であるので、吸収性物品１の後方は陰部まで包み込む構造をとることができる。この構造をとることにより、吸収性物品１の後部と使用者の陰部との間の隙間を埋め、後方に流れた尿等をしっかりと吸収し、横漏れを防ぐことが可能となる。
【００４３】
一対の端部６は、図５に示すように、例えば男性の使用者Ｈの両大腿部に当たる構造をとることで、左右方向の伝い漏れを軽減することが可能となる。使用者Ｈの両大腿部に当たる領域は、一対の端部６の全部に限るものでは無く、一部でも当たっていれば上記の効果を奏することができる。
【００４４】
また、接続部Ｌ上に配置された一対の第１凹部８１は、吸収性物品１の折り曲げを誘導するため、陰部を包み込みやすい形状へと容易に変形することが可能となり、使用者の装着感が向上する。さらに、一対の第１凹部８１と第２凹部８２が対向しないよう配置する構造を採用することで、中央部５が凹状の形状となるよう誘導するため、フィット感が向上することとなる。
【００４５】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【符号の説明】
【００４６】
１      吸収性物品
２      トップシート
３      吸収体
３５    中央部の吸収体
３６    一対の端部の吸収体
４      バックシート
４１    接着部
５      中央部
６      一対の端部
８１    一対の第１凹部
８２    第２凹部
９      液拡散性シート
Ｌ      接続部
Ｈ      使用者
Ｐ      下着
【図１】
2015089417.tif 000003
【図２】
2015089417.tif 000004
【図３】
2015089417.tif 000005
【図４】
2015089417.tif 000006
【図５】
2015089417.tif 000007
【図６】
2015089417.tif 000008